(57)【要約】【課題】複数のユーザが表示装置を簡易に利用可能とすること。【解決手段】表示部に情報を表示して公衆に呈示する表示装置において、ユーザからの情報を受け付ける受け付け手段（Ｉ／Ｆ１６）と、受け付け手段によって受け付けられた情報を記憶する記憶手段（ＨＤＤ１４）と、記憶手段に記憶されている情報を所定の順序で読み出す読み出し手段（ＣＰＵ１１）と、読み出し手段によって読み出された情報を公衆に呈示する呈示手段（液晶装置６）と、を有する。【選択図】        図３
2004212820.tif 000002
【特許請求の範囲】
【請求項１】
表示部に情報を表示して公衆に呈示する表示装置において、
ユーザからの情報を受け付ける受け付け手段と、
上記受け付け手段によって受け付けられた情報を記憶する記憶手段と、
上記記憶手段に記憶されている情報を所定の順序で読み出す読み出し手段と、
上記読み出し手段によって読み出された情報を公衆に呈示する呈示手段と、
を有することを特徴とする表示装置。
【請求項２】
前記読み出し手段は、前記記憶手段に記憶されている情報をその内容、用途、受け付け順、または、料金の少なくとも１以上の要素に応じた所定の順序で読み出すことを特徴とする請求項１記載の表示装置。
【請求項３】
前記記憶手段に格納されている少なくとも一部の情報の一覧をユーザまたは管理者に提供する提供手段をさらに有することを特徴とする請求項１記載の表示装置。
【請求項４】
前記提供手段は、所定の期間内に表示が予定されている情報の一覧を提供することを特徴とする請求項３記載の表示装置。
【請求項５】
前記提供手段は、前記記憶手段に記憶されている情報がすでに表示済みか否かを示す情報も併せて提供することを特徴とする請求項３または請求項４のいずれか１項に記載の表示装置。
【請求項６】
前記受け付け手段は、前記提供手段によって提供された情報の一覧を参照して、ユーザが供給した情報を受け付けることを特徴とする請求項３から５のいずれか１項に記載の表示装置。
【請求項７】
前記提供手段によって提供された情報の一覧を参照して管理者が指定した所定の情報の表示を停止する停止手段をさらに有することを特徴とする請求項３から６のいずれか１項に記載の表示装置。
【請求項８】
情報の表示を要求したユーザに対して所定の金額を課金する課金手段をさらに有することを特徴とする請求項１記載の表示装置。
【請求項９】
表示部に情報を表示して公衆に呈示する表示方法において、ユーザからの情報を受け付ける受け付けステップと、
上記受け付けステップによって受け付けられた情報を記憶させる記憶ステップと、
上記記憶ステップによって記憶された情報を所定の順序で読み出す読み出しステップと、
上記読み出しステップによって読み出された情報を公衆に呈示する呈示ステップと、
を有することを特徴とする表示方法。
【発明の詳細な説明】
【０００１】
【発明の属する技術分野】
本発明は、表示装置および表示方法に関する。
【０００２】
【従来の技術】
画像や文字等の情報を公衆に呈示する広告媒体としては、例えば、看板や大型表示装置がある。前者の場合、例えば、画像や文字等の情報が印刷された板状材や膜状材を壁面等に貼付することにより、公衆に情報を呈示する。一方、後者の場合、例えば、液晶装置により変調された光を表示面に拡大投射したり（特許文献１参照）、発光ダイオード等の発光素子を点滅させたりすることにより、公衆に情報を呈示する。
【０００３】
【特許文献１】
特開平０５−０８８２６４号公報（要約）
【０００４】
【発明が解決しようとする課題】
しかしながら、従来の看板や大型表示装置では、特定の限られた人のみが表示内容を変更でき、誰でもが表示内容を自由に変更できるものとはなっていない。また、複数のユーザが大型表示装置を簡易に利用することができないという問題点もある。
【０００５】
本発明は、上記の事情に基づきなされたもので、その目的とするところは、複数のユーザが簡易に利用することができる表示装置および表示方法を提供することにある。
【０００６】
【課題を解決するための手段】
上述の目的を達成するため、本発明は、表示部に情報を表示して公衆に呈示する表示装置において、ユーザからの情報を受け付ける受け付け手段と、受け付け手段によって受け付けられた情報を記憶する記憶手段と、記憶手段に記憶されている情報を所定の順序で読み出す読み出し手段と、読み出し手段によって読み出された情報を公衆に呈示する呈示手段と、を有する。
【０００７】
このため、複数のユーザが表示装置を簡易に利用可能とすることが可能になる。
【０００８】
また、他の発明は、上述の発明に加えて、読み出し手段は、記憶手段に記憶されている情報をその内容、用途、受け付け順、または、料金の少なくとも１以上の要素に応じた所定の順序で読み出すようにしている。
【０００９】
この結果、情報の内容、用途、受付順、または料金等に応じて情報を表示する順位を決定し、この順位に基づいて情報を提示することが可能になるため、例えば、公益性や即時性が高い情報を優先的に表示することが可能になる。
【００１０】
また、他の発明は、上述の発明に加えて、記憶手段に格納されている少なくとも一部の情報の一覧をユーザまたは管理者に提供する提供手段をさらに有するようにしている。
【００１１】
このため、今後どのような情報が呈示されるかを管理者やユーザが事前に知ることが可能になるため、他の情報との関係において、自己の情報を呈示するタイミングをはかることが可能になる。
【００１２】
また、他の発明は、上述の発明に加えて、提供手段は、所定の期間内に表示が予定されている情報の一覧を提供するようにしている。
【００１３】
このため、ユーザは、例えば、所定の日にどのような情報が呈示されるかを事前に知ることが可能になるため、混雑している日を避けて情報の呈示を行うことができる。
【００１４】
また、他の発明は、上述の各発明に加えて、提供手段は、記憶手段に記憶されている情報がすでに表示済みか否かを示す情報も併せて提供することを特徴とするようにしている。
【００１５】
このため、自己が呈示しようとしている情報が現在どのような状況にあるかを知ることが可能になる。
【００１６】
また、他の発明は、上述の各発明に加えて、受け付け手段は、提供手段によって提供された情報の一覧を参照して、ユーザが供給した情報を受け付けるようにしている。
【００１７】
このため、他のユーザ等からの予約状況を参照して、最適なタイミングで自己の情報を呈示することが可能になるとともに、予約を簡易に行うことが可能になる。
【００１８】
また、他の発明は、上述の各発明に加えて、提供手段によって提供された情報の一覧を参照して管理者が指定した所定の情報の表示を停止する停止手段をさらに有するようにしている。
【００１９】
このため、公序良俗に違反する情報や第三者のプライバシーを侵害するおそれがある情報が呈示されることを未然に防止することが可能になる。
【００２０】
また、他の発明は、上述の発明に加えて、情報の表示を要求したユーザに対して所定の金額を課金する課金手段をさらに有するようにしている。
【００２１】
このため、管理者は、ユーザから表示装置の使用に係る料金を容易に徴収することが可能になる。
【００２２】
また、本発明は、表示部に情報を表示して公衆に呈示する表示方法において、ユーザからの情報を受け付ける受け付けステップと、受け付けステップによって受け付けられた情報を記憶させる記憶ステップと、記憶ステップによって記憶された情報を所定の順序で読み出す読み出しステップと、読み出しステップによって読み出された情報を公衆に呈示する呈示ステップと、を有するようにしている。
【００２３】
このため、複数のユーザが表示装置を簡易に利用可能とすることが可能になる。
【００２４】
【発明の実施の形態】
以下、本発明の一実施の形態について、図面を参照して説明する。
【００２５】
図１は、本発明の第１の実施の形態に係る表示装置の外観を示す図である。この図１に示すように、表示装置１は、筐体２の開口部２ａにスクリーン３ａが係止されて形成された呈示手段である表示部３を有している。筐体２は、公衆が画像を広く閲覧可能となるように、例えば、ビルの壁面や駅の構内等に取り付けられている。なお、本明細書中において、印刷された内容や電気的な表示手段によって表示される「画像」とは、ディジタルカメラ等によって撮影された自然画像のみならず、線画、テキスト（文字）、および、アニメーション等も含むものとする。
【００２６】
図２は、図１に示す表示装置１の内部の構造を示す断面図である。この図２に示すように、筐体２の内部には、光源４、凹面鏡５、液晶装置６、および投射光学系７が配置されている。また、筐体２の外部または内部には、装置を制御するための制御部１０が設けられている。
【００２７】
光源４は、例えば、ハロゲンランプ等によって構成されており、白色光を液晶装置６に向けて放射する。凹面鏡５は、光源４から放射された白色光を液晶装置６に集光する。
【００２８】
液晶装置６は、例えば、アクティブマトリクス型の液晶パネルによって構成されており、凹面鏡５によって集光された光を表示しようとする画像に応じて変調して出力する。投射光学系７は、例えば、反射鏡によって構成されており、液晶装置６によって変調された光を反射して、スクリーン３ａに投射する。
【００２９】
なお、図２には、１枚の液晶装置２０５のみ図示してあるが、光源２０３から出射された光を赤（Ｒ）、緑（Ｇ）、青（Ｂ）の各色の光に分離する光分離光学系を配置するとともに、各色の光をそれぞれ変調する３枚の液晶装置２０５を用い、各液晶装置２０５から出射された光をプリズムなどによって合成してから表示部３に拡大投射すれば、表示部３においてカラーの画像を表示することができる。
【００３０】
図３は、制御部１０の構成例を示す図である。この図３に示すように、制御部１０は、読み出し手段および課金手段であるＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、記憶手段であるＨＤＤ（Ｈａｒｄ  Ｄｉｓｋ  Ｄｒｉｖｅ）１４、画像処理部１５、受け付け手段および提供手段であるＩ／Ｆ（Ｉｎｔｅｒｆａｃｅ）１６、およびバス１７によって構成されており、外部には液晶装置６が接続されている。また、Ｉ／Ｆ１６には、インターネット２０が接続されており、インターネット２０にはクライアント装置２１とサーバ装置２２が接続されている。
【００３１】
ここで、ＣＰＵ１１は、ＨＤＤ１４に格納されているプログラムおよびデータを読み出し、これらに基づいて種々の演算処理を実行するとともに、装置の各部を制御する演算処理部である。
【００３２】
ＲＯＭ１２は、ＣＰＵ１１が実行する基本的なプログラムおよびデータを格納しているメモリである。
【００３３】
ＲＡＭ１３は、ＣＰＵ１１の実行対象となるプログラムおよび演算対象となるデータを一時的に格納するためのメモリである。
【００３４】
ＨＤＤ１４は、ＣＰＵ１１が実行するＯＳ（Ｏｐｅｒａｔｉｎｇ  Ｓｙｓｔｅｍ）等のプログラムおよび画像を表示するためのデータ等を格納している記憶装置である。
【００３５】
画像処理部１５は、ＣＰＵ１１から供給された描画命令に従って描画処理を実行し、得られた画像を映像信号に変換して出力する。
【００３６】
Ｉ／Ｆ１６は、インターネット２０との間でデータを授受する際に、信号の表現形式やプロトコルを適宜変換する。
【００３７】
バス１７は、ＣＰＵ１１、ＲＯＭ１２、ＲＡＭ１３、ＨＤＤ１４、画像処理部１５、およびＩ／Ｆ１６を相互に電気的に接続し、これらの間で情報の授受を可能とするための信号線群である。
【００３８】
インターネット２０は、複数のコンピュータネットワークが相互に接続されて形成されたグローバルなコンピュータ通信ネットワークである。
【００３９】
クライアント装置２１は、ユーザが所有するコンピュータであり、表示装置１に対して情報の表示を要求する場合に使用される。
【００４０】
サーバ装置２２は、例えば、銀行等に配置された勘定系のコンピュータであり、表示装置１に表示要求を行ったユーザに対して所定の料金を課金する処理を実行する。
【００４１】
つぎに、第１の実施の形態の動作について説明する。
【００４２】
ユーザがクライアント装置２１を操作し、インターネット２０を経由して、表示装置１にアクセスすると、クライアント装置２１の表示装置には、図４に示すような画面４０が表示される。この表示例では、画面４０には、テキストボックス４１，４２およびボタン４３，４４が表示されている。
【００４３】
ここで、テキストボックス４１には、ユーザを識別するためのユーザＩＤが入力される。テキストボックス４２には、ユーザが正規のユーザであるか否かを認証するためのパスワードが入力される。ボタン４３は、入力された内容で設定を行う場合に操作される。ボタン４４は、入力された内容をキャンセルする際に操作される。
【００４４】
このような画面４０において所定の項目を入力した後、ボタン４３が操作されると、入力された項目に関する情報が、クライアント装置２１からインターネット２０を介してＣＰＵ１１に供給される。
【００４５】
ＣＰＵ１１は、クライアント装置２１から供給された情報を取得し、まず、ユーザＩＤに該当するパスワードをＨＤＤ１４から検索し、クライアント装置２１から取得したパスワードと照合することにより、これらが一致するか否かを判定する。なお、ＨＤＤ１４には、表示装置１の使用を許可するユーザのユーザＩＤとパスワードとをユーザ情報として予め登録しておく。
【００４６】
パスワードが一致する場合には、ＣＰＵ１１は、要求を行ったユーザが正規のユーザであると判定し、ＨＤＤ１４に格納されている所定のデータ（例えば、ＨＴＭＬによって記述されたデータ）を取得し、要求を行ったクライアント装置２１に対して送信する。その結果、クライアント装置２１の表示装置には、図５に示すような画面５０が表示される。
【００４７】
図５に示す画面５０では、画面左上にログインしたユーザのユーザＩＤが表示されている。その右側には、年月日を指定するためのテキストボックス５２が表示されている。画面中央には、テキストボックス５２によって指定された年月日における、予約情報の一覧表５３が表示されている。画面下には、予約を新規に登録する際に操作されるボタン５４、および画面５０の表示を終了する際に操作されるボタン５５が表示されている。
【００４８】
このような画面５０において、ユーザは、まず、テキストボックス５２に予約を行おうとする年月日を入力する。その結果、入力された年月日の情報が表示装置１に送信され、表示装置１では受信した年月日に対応するタイムテーブルをＨＤＤ１４から読み出して所定の処理を施した後、クライアント装置２１に返信する。その結果、テキストボックス５２に入力された年月日に対応する一覧表５３が表示される。
【００４９】
この表示例では、テキストボックス５２には、「２００２年１１月１０日」が入力されており、一覧表５３には入力された年月日に対応するタイムテーブルが表示されている。ここで、一覧表５３において、「Ｎｏ．」はシリアル番号であり、予約を受け付けた順に付与される。なお、特定の期間のものを早めに予約した場合には、遅い期間のものに若いシリアル番号が付与される場合も生じる。
【００５０】
「期間」は、画像を表示する期間を示している。この表示例では、指定された期間に隙間（間）がない状態となっているが、例えば、１０：３５〜１０：５０の期間に予約がなかった場合には、一覧表においてその期間には空白等が表示される。また、その場合、表示装置１には、管理者が予め用意していた情報が表示されたり、ニュースが流れたりすることになる。
【００５１】
「ユーザＩＤ」は、予約を行ったユーザのユーザＩＤである。「表示情報」は、予約がなされた画像のサムネイル（Ｔｈｕｍｂ  ｎａｉｌ）画像である。「状態」は、当該予約が表示されたか否かを示す情報であり「表示済」、「表示中」、「未表示」のいずれかによって表される。「編集」は、当該予約が「未表示」または「表示中」の状態である場合に、予約の内容を編集する際に操作されるハイパーテキストである。
【００５２】
なお、画面５０としては、予約されている状態、すなわち、予約している期間、ユーザＩＤ、表示情報等が表示されているが、ログインの画面５０としては、そのユーザが予約済みのものと予約可能な期間の情報のみを表示するようにしてもよい。
【００５３】
このような画面５０において、ユーザがボタン５４を操作したとすると、ボタン５４が操作された旨を示す情報が表示装置１に送信され、その結果として、表示装置１から所定の情報が返信され、クライアント装置２１の表示装置には図６に示すような画面６０が表示される。
【００５４】
この画面６０では、画面左上にログインしているユーザのユーザＩＤが表示されている。画面右上には、予約を行おうとしている年月日（図５のテキストボックス５２に入力された年月日）が示されている。その下には、後述するテキストボックス６２〜６５、ボタン６７、支払い金額６８、およびボタン６９，７０が表示されている。
【００５５】
ここで、テキストボックス６２には、表示を希望する期間が入力される。テキストボックス６３には表示しようとする画像データのファイル名が入力される。なお、画像データは、実際にはクライアント装置２１の図示せぬ記憶装置に記憶されている。テキストボックス６４には、表示装置１に表示する際のサイズが入力される。例えば、表示サイズとしては、表示部３の１／１、１／２、１／４のサイズを選択することができる。テキストボックス６５には、表示装置１の利用に係る対価を支払う方法を入力する。例えば、クレジットカード、プリペイドカード、または銀行振り込み等から選択することができる。ボタン６７は、画像データを編集する際に操作されるボタンである。なお、このボタンが操作された場合の動作については後述する。
【００５６】
支払い金額６８は、テキストボックス６２に入力された期間およびテキストボックス６４に入力された表示サイズによって定まる金額であり、表示装置１を利用に係る対価である。なお、支払い金額については、時間帯に応じて金額を変えたり（例えば、人通りが少ない夜間は料金を低く設定したり）、繰り返し利用するユーザには料金を低く設定したり、するようにしてもよい。
【００５７】
図７は、図６に示すボタン６７が操作された場合に表示される画面の一例である。この画面８０では、図６に示すテキストボックス６３に入力されたファイル名に対応する画像データを編集するための画面である。この表示例では、画面８０の中央には、編集の対象となる画像８１が表示されている。ボタン８２は、画像８１に対してテキスト情報を入力する場合に操作される。この例では、「新型ステップワゴン１１月２０日新発売」、「１３００ｃｃ  １２５馬力  カーナビ標準装備で１２５万円！」等のテキスト情報が入力されている。
【００５８】
ボタン８３は、画像８１を編集する際に操作されるボタンであり、例えば、画像のサイズ、解像度、明るさ、コントラスト、および色調等を編集する場合に操作される。ボタン８４は、画像データを編集内容に応じて変更する場合に操作される。ボタン８５は、編集内容をキャンセルする際に操作される。
【００５９】
図７に示す画面８０において画像８１が編集された後、ボタン８４が操作されると、画像データが編集内容に応じて変更されることになる。そして、図６に示す画面６０において、ボタン６９が操作されると、入力された内容で予約が行われることになる。すなわち、クライアント装置２１は、画面６０において入力された情報を、編集された画像データとともに表示装置１に対して送信する。表示装置１のＣＰＵ１１は、受信した情報をＨＤＤ１４に供給して、そこに新たな予約として登録する。その結果、クライアント装置２１の表示装置に表示されている画面５０は、図８のように更新される。すなわち、この表示例に示すように、一覧表５３の第５番目に新たな予約が追加される。
【００６０】
以上のようにして予約がなされると、表示装置１のＨＤＤ１４には、一覧表５３に対応してタイムテーブルが更新され、当該タイムテーブルに従って表示動作が実行される。
【００６１】
より詳細には、ＣＰＵ１１は、図示せぬタイマから出力される日時情報を参照し、タイムテーブルに格納されている予約の期間と比較することにより、新たな予約を処理する必要が生じたか否かを判定し、予約を処理する必要が生じたと判定した場合には、当該予約に関する画像データをＨＤＤ１４から取得し、画像処理部１５に供給する。画像処理部１５は、供給された画像データに基づいて描画処理を実行し、得られた画像を映像信号に変換して液晶装置６に供給するとともに、投射を開始するために光源４を点灯させる。
【００６２】
その結果、光源４から放射された白色光は、凹面鏡５によって反射されて液晶装置６に集光される。液晶装置６は、画像処理部１５から供給された映像信号に基づいて、凹面鏡５からの白色光を変調して出射する。投射光学系７は、液晶装置６から出射された光を反射してスクリーン３ａに投射する。その結果、スクリーン３ａには、ＨＤＤ１４に格納されている画像データに対応する画像が表示されるので、公衆はこの画像を閲覧することが可能になる。
【００６３】
このようにして画像の表示が開始されると、ＣＰＵ１１は、図示せぬタイマから供給される日時情報と、当該予約の「期間」とを比較し、予約された期間が経過した場合には、表示を終了し、それ以外の場合には同一の画像を表示し続ける。そして、予約された期間が経過した場合には、ＣＰＵ１１は、サーバ装置２２にアクセスし、予約を行ったユーザの銀行口座から、図６に示す画面で表示された支払い金額６８に対応する金額を引き落とす処理を実行する。そして、ＣＰＵ１１は、タイムテーブルを参照し、つぎの予約に関する情報を取得し、前述の場合と同様の処理を繰り返す。
【００６４】
なお、以上の説明では、予約から表示までの基本的な処理の流れを中心に説明したが、予約を行った後に、当該予約の内容について変更することも可能である。そのような場合、図８に示す画面５０において、一覧表５３の右端にあるハイパーテキスト「編集」を操作することにより、表示内容を変更することができる。例えば、「００５」の内容を変更する場合には、「００５」の欄の右端にあるハイパーテキスト「編集」を操作すると、図６に示す画面６０が表示されるので、この画面６０により予約した内容を変更することができる。図８の例では、「状態」が「表示中」または「未表示」の予約については、ハイパーテキスト「編集」（下線が付されている）を表示し、それ以外の予約については単なるテキスト「編集」（下線が付されていない）を表示するようにして、表示中と未表示の予約についてのみ編集可能としている。
【００６５】
ところで、不特定多数のユーザに表示装置１の利用を許可すると、公序良俗に反する画像や、第三者のプライバシーを侵害するおそれがある画像が表示されてしまう場合が考えられる。したがって、そのような画像は、表示対象から除外してしまうことが望ましい。そこで、本実施の形態に係る表示装置１では、管理者が予約されている画像を予めチェックすることが可能とされている。
【００６６】
図９は、管理者が画像をチェックする際に、図示せぬ管理者のクライアント装置に表示される画面の一例である。この画面１１０は、管理者が図４に示す画面４０において管理者であることが認証された場合に表示される画面である。図５または図８のユーザ用の画面５０と比較すると、ユーザＩＤがハイパーテキスト（下線が付されたテキスト）として表示されており、また、右端の欄には予約を削除するためのハイパーテキスト（下線付きの「削除」）が表示されている点が異なっている。なお、ユーザＩＤのハイパーテキストは、この部分が操作されると、当該予約を行ったユーザに対して電子メールを送ることができるように構成されている。
【００６７】
管理者は、画面１１０の「表示情報」の欄に表示されているサムネイル画像を参照することにより、予約されている画像が公序良俗に反したり、第三者のプライバシーを侵害したりするものでないか確認することができる。確認の結果、そのような画像が予約されている場合には、ユーザＩＤの欄に表示されているハイパーテキストを操作し、当該ユーザに対して、予約が取り消されることを示す内容の電子メールを送信する。つぎに、当該予約に対応するハイパーリンクの「削除」を操作することにより、当該予約をタイムテーブルから削除する。
【００６８】
以上の処理により、公序良俗に違反する画像や、第三者のプライバシーを侵害するおそれがある画像が表示されることを未然に防止することが可能になる。また、予め表示を禁止する画像やテキスト（「禁止画像」および「禁止テキスト」と称する）を登録しておき、ＨＤＤ１４内の受信情報を自動的にチェックするようにしてもよい。すなわち、登録されている禁止画像や禁止テキストと、送られてきた記録情報とをＣＰＵ１１が比較し、同一または類似と判断したとき、その旨を管理者に通知するようにしてもよい。より詳細には、禁止画像については、肌色の専有面積が多い画像については禁止画像とすることができる。また、禁止テキストについては該当する単語を登録しておき、それらが含まれるテキストは禁止テキストとすることができる。
【００６９】
なお、前述の説明では、表示中や表示の直前においても予約内容を変更できるようにしたが、表示する内容を管理者が事前にチェックするという観点からはこのような構成は好ましくない。すなわち、表示中や表示直前の内容の変更を許すと、表示中や表示直前に内容が変更されて予期せぬ情報が表示されるおそれがあるため、管理者は常に表示装置１に表示されている画像をチェックし続ける必要が生じるからである。そこで、画像のチェックを徹底するとともに、管理人の負担を軽減する目的で、例えば、予約された時刻の１時間前になった場合には、予約の変更を制限するようにしてもよい。
【００７０】
なお、以上の実施の形態では、期間（開始と終了の時刻）を指定して予約を行うようにしたが、単に時間のみを指定して予約を行うようにしてもよい。具体的には、時間として「１０分」を指定して予約を行い、予約が受け付けられた順番に画像を表示するようにしてもよい。このとき、予約を処理する順番としては、単に受付順に処理するのみならず、支払われる料金によって順番を変更することも可能である。例えば、料金が高い予約を優先的に表示するようにしてもよい。また、予約が公的な機関や、企業によってなされた場合には、情報の公共性が高いことが推測でき、また、表示の用途も公共性が高いと推測できるので、個人によってなされた予約よりも優先的に処理するようにしてもよい。また、災害情報や交通情報等については、公共性が高く、また、情報の緊急性が高いことから、このような情報については最優先で表示するようにしてもよい。
【００７１】
以上に説明したように、本発明の第１の実施の形態によれば、複数の予約を受け付けてＨＤＤ１４に記憶し、所定の順序で読み出して表示するようにしたので、不特定多数のユーザが表示装置１を利用することが可能になる。
【００７２】
また、第１の実施の形態によれば、優先順位に基づいて表示する順番を変更するようにしたので、より公共性が高い情報や優先度が高い情報については、表示順位を上げることにより、公衆に有益な情報を迅速に呈示することが可能になる。
【００７３】
また、第１の実施の形態では、図５または図８に示す画面５０により、表示装置１に予約されている情報を一覧表示するとともに、ＧＵＩ（Ｇｒａｐｈｉｃａｌ  Ｕｓｅｒ  Ｉｎｔｅｒｆａｃｅ）を介して予約を受け付けるようにしたので、簡易な操作により画像の表示予約を行うことが可能になる。また、図５および図８に示す画面５０では、予約の処理状態を「表示済」、「表示中」、「未表示」として表示するようにしたので、ユーザは、自己の予約がどのような状態にあるのかを知ることが可能になる。
【００７４】
なお、表示装置１にユーザが予約した画像が確実に表示されていることを示すために、例えば、表示装置１に表示されている画像を撮像素子によって撮像し、これをインターネット２０を介してクライアント装置２１に送信し、画面５０の一部に表示するようにしてもよい。そのような構成によれば、ユーザは、自己が予約した画像が確実に表示されていることを遠隔地から確認することが可能になる。
【００７５】
また、第１の実施の形態では、図９に示す画面１１０により、管理者が表示される画像を確認し、公序良俗に反する画像や第三者のプライバシーを侵害するおそれがある画像の表示予約がなされている場合には、これらの表示を停止することができるようにした。その結果、不適切な画像が表示されることを未然に防止することが可能になる。
【００７６】
また、禁止画像や禁止テキストを登録しておき、送られてくる画像等とこれらをＣＰＵ１１が比較してチェックすることで、表示したくない画像や不適切な画像を自動的に排除するようにもしているので、不適切な画像やテキストの排除を一層効率的に実行できる。
【００７７】
さらに、第１の実施の形態では、予約を行ったユーザに対して所定の対価を自動的に課金するようにしたので、管理者は表示装置１の使用料金を簡易に徴収することが可能になる。しかも、表示処理を行った後に課金するようにしているので、課金されたのに表示がなされなかったというトラブルを防止することができる。
【００７８】
つぎに、本発明の第２の実施の形態について説明する。
【００７９】
本発明の第２の実施の形態に係る表示装置１Ａは、内蔵されている印刷装置によって画像を印刷用部材に印刷して表示するように構成されている。なお、第２の実施の形態に係る表示装置１Ａの外観は、図１の場合と同様であり、公衆が画像を広く閲覧可能となるように、例えば、ビルの壁面等に取り付けられている。
【００８０】
図１０は、本発明の第２の実施の形態に係る表示装置１Ａの内部の構造を示す分解図である。この図１０に示すように、筐体２の内部には、画像を印刷する印刷用部材であるロール紙１２６、画像を印刷するための印刷ヘッド１２５、ロール紙１２６の巻き上げおよび繰り出しを行なう一対のローラ１２１，１２２、ロール紙１２６が緊張した状態となるようにするテンションローラ１２３，１２４を有する印刷装置１２０が格納されている。印刷ヘッド１２５によってロール紙１２６に印刷された画像Ａ〜Ｃは、表示部３の透明部材３ｂを介して外部から視認可能に呈示される。
【００８１】
図１１は、図１０に示す印刷装置１２０の詳細な構成例を示す図である。この図に示すように、印刷装置１２０は、第１の実施の形態の制御部１０の機能に加え、ローラ１２１，１２２を駆動するためのローラ駆動部１２７ならびに当該ローラ駆動部１２７および印刷ヘッド１２５を制御する制御部１０Ａを有している。ここで、ローラ駆動部１２７は、ローラ１２１，１２２を時計方向（ＣＷ）または反時計方向（ＣＣＷ）に回転させ、ロール紙１２６の巻き上げおよび繰り出しを行なう。制御部１０Ａは、ローラ駆動部１２７を制御し、必要に応じてロール紙１２６を繰り出したり、巻き上げたりする動作を行う。また、制御部１０Ａは、図示せぬキャリッジモータを制御し、印刷ヘッド１２５をロール紙１２６の短手方向（以下、「主走査方向」と称する）に往復させるとともに、印刷ヘッド１２５に印刷信号を供給して所定のノズルから所定の色のインクを吐出させ、ロール紙１２６の所定の位置にドットを形成することにより、画像を印刷させる。
【００８２】
なお、この図には示していないが、印刷ヘッド１２５には、複数の色のインクを供給するためのインクカートリッジが具備されており、このインクカートリッジに貯納されている各色のインクが印刷ヘッド１２５に供給される構成となっている。なお、インクカートリッジを印刷ヘッド１２５に直接取り付けるのではなく、例えば、筐体２の底部や天部にインクカートリッジを設置しておき、そこからインクを供給するようにしてもよい。そのような構成によれば、印刷ヘッド１２５に取り付ける場合に比較して、場所的な制約を受けないため、貯納できるインクの量を増やすことができる。その結果、インクカートリッジの交換の頻度を下げることができる。
【００８３】
つぎに、本発明の第２の実施の形態の動作について説明する。なお、第２の実施の形態では、画像を拡大投射装置ではなく印刷装置１２０によって表示する点が異なっているので、その点を中心に説明する。
【００８４】
第１の実施の形態の場合と同様に、図４〜８に示す画面を介してユーザからの予約が受け付けられると、ＣＰＵ１１は、ＨＤＤ１４に格納されているタイムテーブルに応じて予約を処理していく。すなわち、ＣＰＵ１１は、図示せぬタイマから供給される日時情報とタイムテーブルとを比較し、新たな予約を処理する必要が生じた場合には、その予約に対応する画像データをＨＤＤ１４から取得する。そして、ＣＰＵ１１は、ローラ駆動部１２７を駆動してロール紙１２６を所定量だけ移動させ、印刷領域の先頭部分が印刷ヘッド１２５の直下に来るようにする。つぎに、ＣＰＵ１１は、読み出した画像データを印刷ヘッド１２５に１ライン分だけ供給するとともに、図示せぬキャリッジモータを駆動して印刷ヘッド１２５を主走査方向に移動（走査）させる。その結果、１ライン分の印刷が完了するので、ＣＰＵ１１は、ローラ駆動部１２７を駆動してロール紙１２６を長手方向（以下、「副走査方向」と称する）に所定量だけ移動させ、次のラインの印刷を開始する。以上のような動作を繰り返すことにより、ＨＤＤ１４に格納されている画像データに対応する画像がロール紙１２６に印刷されることになる。
【００８５】
画像の印刷が完了すると、ＣＰＵ１１は、ローラ駆動部１２７を制御してローラ１２１，１２２を回転させ、ロール紙１２６の画像が印刷された領域を、表示部３の位置まで移動させる。その結果、印刷された画像は、筐体２の透明部材３ｂを介して外部から視認可能となるため、公衆はこの画像を閲覧することができる。なお、画像を印刷してから表示するまでは所定の時間を要するので、タイムテーブルに設定されている期間よりも早いタイミングで、印刷を開始することも可能である。
【００８６】
このようにして画像の表示が開始されると、ＣＰＵ１１は、図示せぬタイマによって発生される日時情報とタイムテーブルとを比較し、図６において入力された期間が経過したか否かを判定する。その結果、期間が経過した場合には、ＣＰＵ１１は、ローラ駆動部１２７を駆動して、表示していた画像を表示部３から移動させて表示を終了する。なお、新たな画像を表示する場合には、前述の場合と同様の処理により当該新たな画像を印刷した後、ローラ駆動部１２７を駆動してロール紙１２６を移動させる。その結果、表示が終了した画像については、ローラ１２２に巻き取られ、新たな画像については表示部３に表示されることになる。
【００８７】
なお、ロール紙１２６への各画像の記録位置をＨＤＤ１４に記憶しておくことにより、既に表示が終了した画像を繰り返し表示させることが可能になる。すなわち、ロール紙１２６の一部に位置検出用の情報をバーコードによって印刷したり、または、エンコーダをロール紙１２６の駆動系に装着したりすることにより、ロール紙１２６の位置情報を検出できるようにしておき、画像を印刷する際には位置情報を当該画像の識別記号とともにＨＤＤ１４に記憶しておく。そして、同一の画像を再度表示させる場合には、再表示する画像の位置情報をＨＤＤ１４から取得し、印刷ヘッド１２５を駆動せずにローラ駆動部１２７のみを逆方向（図１１では時計方向）に回転させて位置情報に対応する位置までロール紙１２６を移動させればよい。このような構成によれば、印刷された画像を有効に利用することが可能になる。
【００８８】
以上に説明したように、本発明の第２の実施の形態によれば、第１の実施の形態の場合と同様に、不特定多数のユーザが表示装置１を自由に利用することが可能になる。
【００８９】
また、第２の実施の形態では、画像をロール紙１２６に印刷して呈示するようにしたので、外光が明るい場合であっても視認性の高い情報を呈示することが可能になる。
【００９０】
つぎに、本発明の第３の実施の形態について説明する。
【００９１】
本発明の第３の実施の形態に係る表示装置１Ｂは、印刷装置と拡大投射装置の双方を内蔵しており、時間帯や環境の明るさに応じてこれらを選択して画像を表示する。第３の実施の形態に係る表示装置１Ｂの外観は、図１の場合と同様であり、公衆が画像を広く閲覧可能となるように、例えば、ビルの壁面等に取り付けられている。
【００９２】
図１２は、本発明の第３の実施の形態に係る表示装置１Ｂの内部の構造を示す図である。なお、この図１２において、図１１に示す第２の実施の形態と対応する部分には同一の符号を付してその説明は省略する。第３の実施の形態では、第２の実施の形態と比較して拡大投射装置１４０が新たに追加されている。このため、第２の実施の形態の制御部１０Ａの機能に加えて、拡大投射装置１４０をも制御する制御部１０Ｂが設けられている。その他の構成は、第２の実施の形態の場合と同様である。
【００９３】
ここで、拡大投射装置１４０は、図１３にその断面図を示すように、筐体１４１、開口部１４２、光源１４３、凹面鏡１４４、液晶装置１４５、および投射光学系１４６によって構成されている。なお、第１の実施の形態と比較すると、第３の実施の形態では、投射光学系１４６によって投射された画像がスクリーン３ａではなく、ロール紙１２６の裏面に投影される点が異なっている。
【００９４】
なお、第３の実施の形態では、拡大投射装置１４０によってロール紙１２６の背面から画像を投射するため、ロール紙１２６としては、ある程度の透光性を有するペット紙等を用いる。
【００９５】
つぎに、本発明の第３の実施の形態の動作について説明する。第３の実施の形態では、第２の実施の形態と比較すると、画像を拡大投射装置１４０または印刷装置１２０により択一的に表示する点が異なっているので、当該相違点を中心に説明する。
【００９６】
第２の実施の形態の場合と同様にして、図４〜図８に示す画面を介してユーザからの予約を受け付けると、ＣＰＵ１１は、タイムテーブルに設定された順番に予約を処理していく。すなわち、ＣＰＵ１１は、まず、図示せぬタイマから供給されたその時点における時刻を参照し、拡大投射装置１４０または印刷装置１２０のいずれによって画像を表示するかを決定する。例えば、その時点での時刻が午後６時〜午前６時の時間帯に該当する場合には、拡大投射装置１４０によって画像を表示することを決定し、また、この時間帯以外に該当する場合には印刷装置１２０によって画像を表示することを決定する。
【００９７】
なお、前述した時間帯は、これ以外の時間帯とすることも可能である。また、季節等に応じて時間帯を適宜変更することも可能である。例えば、夏期には時間帯を短く設定し（例えば、午後８時〜午前４時に設定し）、逆に冬期にはこの時間帯を長く設定する（例えば、午後４時〜午前８時に設定する）ようにしてもよい。そのような構成によれば、季節に応じて最適な時間帯を設定することができる。
【００９８】
また、時刻ではなく、設置された環境の明るさを、例えば、フォトセンサ等によって検出し、明るさが所定のレベル未満である場合には拡大投射装置１４０を選択し、所定のレベル以上である場合には印刷装置１２０を選択するようにしてもよい。そのような構成によれば、その日の天候や設置環境に応じた最適な表示方法を選択することが可能になる。
【００９９】
ＣＰＵ１１は、例えば、現在の時刻が午後２時である場合には、前述した時間帯には該当しないので、印刷装置１２０によって表示することを決定する。そして、ＣＰＵ１１は、第２の実施の形態で説明したように、登録されている画像データをＨＤＤ１４から読み出し、所定の変換を施した後、印刷装置１２０によってロール紙１２６に印刷する。印刷が終了すると、ＣＰＵ１１は、ローラ駆動部１２７を駆動し、印刷が完了した画像を表示部３まで移動させて表示する。
【０１００】
一方、現在の時刻が、例えば、午後１０時である場合には、前述した時間帯に該当するので、拡大投射装置１４０によって表示することを決定する。そして、ＣＰＵ１１は、ローラ駆動部１２７を制御してロール紙１２６を移動させ、開口部１４２の前面に画像が印刷されていない部分（空白部分）がくるようにする。
【０１０１】
つづいて、ＣＰＵ１１は、ＨＤＤ１４に登録されている画像データを読み出し、画像処理部１５に供給する。画像処理部１５は、ＣＰＵ１１から供給された画像データを映像信号に変換し、拡大投射装置１４０に出力する。
【０１０２】
拡大投射装置１４０では、ＣＰＵ１１から供給された画像データを取得し、液晶装置１４５に供給して表示するとともに、光源１４３を点灯させる。その結果、光源１４３から白色光が放射され、凹面鏡１４４によって液晶装置１４５に集光される。液晶装置１４５は、ＣＰＵ１１から供給された映像信号に応じて白色光を変調し、投射光学系１４６に入射する。
【０１０３】
投射光学系１４６は、液晶装置１４５から入射された光を反射し、開口部１４２を通過してロール紙１２６の裏面に投射する。その結果、ロール紙１２６には、ＨＤＤ１４に登録されている画像が表示されることになる。なお、拡大投射装置１４０によって投射された画像は、光源１４３によって自ら発光しているので、環境が暗い場合であっても表示されている画像の視認性を高めることができる。
【０１０４】
一方、環境が明るい場合には、印刷装置１２０によって印刷された画像が表示される。印刷された画像は、明るい環境下では視認性が高く、また、拡大投射装置１４０に比べると、環境が過度に明るい場合でも視認性が低下することはない。
【０１０５】
以上に説明したように、本発明の第３の実施の形態によれば、環境が明るい場合には印刷装置１２０により画像を印刷し、環境が暗い場合には拡大投射装置１４０によって画像を投射することにより、常に、視認性の高い情報を提供することができる。
【０１０６】
なお、以上の説明では、設置されている環境の明るさまたは時間帯によって表示方法を切り替えるようにしたが、例えば、災害等に関連するメッセージを表示する際には、印刷装置１２０によって印刷された画像を表示するようにすることも可能である。そのような構成によれば、災害に起因して停電が発生した場合でも、災害等に関連するメッセージを表示し続けることが可能になる。
【０１０７】
また、切り替えを自動的に行うのではなく、例えば、権限を有する管理者が手動で行うようにしてもよい。そのような構成によれば、必要に応じて印刷装置１２０拡大投射装置１４０による表示を切り替えることが可能になる。
【０１０８】
また、図６に示す設定画面において、いずれの表示方法を選択するかをユーザ自身が設定し、設定された内容に応じて表示方法を選択するようにしてもよい。そのような構成によれば、ユーザのニーズに合致した方法によって情報を呈示することができる。
【０１０９】
以上、本発明の一実施の形態について説明したが、本発明はこれ以外にも種々変形可能である。
【０１１０】
例えば、第２および第３の実施の形態では、印刷用部材としてロール紙１２６を用いるようにしたが、カットシートを用いることも可能である。なお、カットシートを用いる場合には、複数のカットシートを格納する格納部、格納部に格納されているカットシートを装置に供給する供給部、印刷が終了したカットシートを表示部３の前面まで搬送する搬送部、および表示が終了したカットシートを廃棄する廃棄部を設ける必要がある。なお、これらの技術は、例えば、プリンタ等に用いられており、すでに周知であるため、その詳細な説明は省略する。
【０１１１】
また、以上の各実施の形態では、ロール紙１２６の片面のみに画像を印刷するようにしたが、ロール紙１２６またはカットシートの両面に画像を印刷するようにしてもよい。例えば、ロール紙１２６がローラ１２２側に完全に巻き取られた後、そのローラ１２２ごとローラ１２１と入れ替え、印刷された裏面をつぎに利用して印刷するようにすることができる。そのような構成によれば、ランニングコストを低減することができる。
【０１１２】
また、以上の各実施の形態では、印刷装置１２０はインクジェット方式により画像を印刷するようにしたが、これ以外の方法（例えば、熱昇華式印刷方法、レーザ式印刷方法等）によって印刷することも可能である。
【０１１３】
また、以上の各実施の形態では、クライアント装置２１から予約を行う場合を例に挙げて説明したが、これ以外の入力装置から予約を行うことも可能である。例えば、携帯電話やＰＤＡ（Ｐｅｒｓｏｎａｌ  Ｄｉｇｉｔａｌ  Ａｓｓｉｓｔａｎｔ）に対して図４〜図８に示すような画面を表示させ、これらを介して予約を受け付けることも可能である。あるいは、表示装置１，１Ａ，１ＢにキーボードとＬＣＤ（Ｌｉｑｕｉｄ  ＣｒｙｓｔａｌＤｉｓｐｌａｙ）モニタを設け、これを介して直接予約を行うようにしてもよい。さらに、表示装置１，１Ａ，１Ｂに電話番号を付与しておき、公衆回線を介して表示装置１にピアトゥーピア（Ｐｅｅｒ  ｔｏ  Ｐｅｅｒ）で通信回線を締結し、予約を行うことも可能である。
【０１１４】
また、第１および第３の実施の形態では、呈示手段となる拡大投射装置１４０としてリアプロジェクタを用いるようにしたが、呈示手段としてはこれ以外のプロジェクタ（フロントプロジェクタ）を用いることも可能である。また、プロジェクタではなく、例えば、発光ダイオードや液晶等による表示装置やテレビジョン（プラズマ方式、液晶方式等）を用いることも可能である。
【０１１５】
また、各表示とともに、音楽を流したり、所定のアナウンスを流したりしてもよい。さらには、筐体２の周辺の一部または全周に、表示部３に表示される内容と同期した動きまたは関連する動きを行う動作体を配置するようにしてもよい。また、その動作体の動きを上述の音楽やアナウンス等と同期させるようにしてもよい。
【０１１６】
さらに、印刷用部材としては、紙、樹脂、布等から形成されたロール紙スクリーンや多枚数からなるスクリーン等が採用される。また、各実施の形態では、印刷装置４や表示手段を筐体２の内部に配置しているが、例えば、ビルの窓を表示部３の代わりにとすることで、筐体２を特別に設けず、ビルそのものを筐体２の代わりとなるようにしたり、筐体２の外部に制御部１０，１０Ａ，１０Ｂを配置したりするようにしてもよい。
【０１１７】
【発明の効果】
本発明によれば、不特定多数のユーザが表示装置を自由に利用することが可能になる。
【図面の簡単な説明】
【図１】本発明の第１の実施の形態に係る表示装置の外観を示す図である。
【図２】図１に示す表示装置の内部構造を説明するための断面図である。
【図３】図２に示す表示装置の制御部の詳細な構成例を示す図である。
【図４】図１に示す表示装置にユーザがクライアント装置を介してアクセスした場合に、当該クライアント装置の表示部に表示されるユーザの認証のための画面の一例である。
【図５】図４に示す画面において認証に成功した場合に表示され、所定の日時における予約の状況を示す画面の一例である。
【図６】図５に示す画面において新規登録を行うためのボタンを操作した場合に表示され、予約の詳細を入力するための画面の一例である。
【図７】図６に示す画面において画像を編集するためのボタンを操作した場合に表示され、画像の編集およびテキストの追加を行うための画面の一例である。
【図８】図６および図７の画面において予約を行った後における図５の画面の更新例である。
【図９】管理者が表示装置にアクセスした場合に表示される画面の一例である。
【図１０】本発明の第２の実施の形態に係る表示装置の構成例を示す図である。
【図１１】図１０に示す表示装置の詳細な構成例を示す図である。
【図１２】本発明の第３の実施の形態に係る表示装置の構成例を示す図である。
【図１３】図１２に示す表示装置の詳細な構成例を示す図である。
【符号の説明】
１，１Ａ，１Ｂ  表示装置
３  表示部（呈示手段）
１１  ＣＰＵ（読み出し手段、課金手段）
１４  ＨＤＤ（記憶手段）
１６  Ｉ／Ｆ（受け付け手段、提供手段）
【図１】
2004212820.tif 000003
【図２】
2004212820.tif 000004
【図３】
2004212820.tif 000005
【図４】
2004212820.tif 000006
【図５】
2004212820.tif 000007
【図６】
2004212820.tif 000008
【図７】
2004212820.tif 000009
【図８】
2004212820.tif 000010
【図９】
2004212820.tif 000011
【図１０】
2004212820.tif 000012
【図１１】
2004212820.tif 000013
【図１２】
2004212820.tif 000014
【図１３】
2004212820.tif 000015